(57)【要約】【課題】ロック機構を商品陳列棚の左右幅方向の中央部に設けた商品陳列棚において、棚板上に重量物の商品を陳列して棚板が撓んだ場合であっても、ロック機構によるロックを確実に行うことができるようにする。【解決手段】商品陳列棚１は、ショーケース本体に固定され、商品陳列室内に向けて延出した固定ブラケット２と、固定ブラケット２に前後方向スライド可能に取付けられた可動ブラケット３と、可動ブラケット３に取付けられ、上面部に商品が陳列される棚板４と、固定ブラケット２の左右幅方向中央部の前方側に設けられた引掛部９と、可動ブラケット３の左右方幅向中央部の前方側に設けられ、可動ブラケット３を後方へスライドさせた場合に引掛部９に係合されるロックレバー１０とを有する。【選択図】図１
2020192152.tif 000002
【特許請求の範囲】
【請求項１】
ショーケース本体に固定され、商品陳列室内に向けて延出した固定ブラケットと、
前記固定ブラケットに前後方向スライド可能に取付けられた可動ブラケットと、
前記可動ブラケットに取付けられ、上面部に商品が陳列される棚板と、
前記固定ブラケットの左右幅方向中央部の前方側に設けられた引掛部と、
前記可動ブラケットの左右幅方向中央部の前方側に設けられ、前記可動ブラケットを後方へスライドさせた場合に前記引掛部に係合されるロックレバーと、
を有することを特徴とする商品陳列棚。
【請求項２】
前記ロックレバーは前記引掛部に係合する方向に付勢され、前記引掛部への係合を解除する方向に回動操作可能に設けられていることを特徴とする請求項１記載の商品陳列棚。
【発明の詳細な説明】
【技術分野】
【０００１】
本発明は、ショーケースに設けられて商品が陳列され、前後方向にスライド可能な商品陳列棚に関する。
【背景技術】
【０００２】
従来、スーパーマーケットやコンビニエンスストア等の店舗では、商品陳列室内に上下方向に沿って複数段の商品陳列棚を備えたショーケースが使用されている。各商品陳列棚は、商品が陳列される部分である棚板を有し、この棚板を前後方向へスライド可能としている場合が多く、棚板を前方へスライドさせて商品陳列室外へ引き出すことにより、その棚板上への商品の陳列作業を容易に行えるようにしている。
【０００３】
商品陳列室外へ引き出して商品の陳列が終了した棚板は、後方へスライドさせることにより商品陳列室内に収容されている。商品陳列室内に収容された棚板は、何らかの原因で不意に前方にスライドすることを防止するため、ロック機構を用いてスライド動作が規制されている。
【０００４】
このロック機構は、通常、棚板の左右幅方向の両側に設けられ、両手でロック解除操作を行うようにしている。このため、ロック機構の操作が煩雑になっている。
【０００５】
そこで、このようなロック機構の操作を片手で容易に行えるようにすることが提案されており、例えば、下記特許文献１に記載されたものが知られている。下記特許文献１に記載された商品陳列棚は、商品が陳列される棚板と棚板を保持するベースとから構成され、ベースがブラケットに取付けられている。ロック機構は、商品陳列棚の左右幅方向の中央部に設けられ、片手でロック解除操作ができるようになっている。
【先行技術文献】
【特許文献】
【０００６】
【特許文献１】特開２０１１-２４５２２２号公報
【発明の概要】
【発明が解決しようとする課題】
【０００７】
特許文献１に記載されている商品陳列棚のロック機構は、ベース（ブラケット側）に設けられた引掛部と、棚板に設けられたロックレバーとにより構成されており、棚板を後方へスライドさせた場合にロックレバーの爪部が引掛部に引っ掛かるようになっている。しかしながら、棚板上に重量物の商品が陳列された場合に棚板が撓むと、棚板の左右幅方向の中央部に位置しているロックレバーの位置が下方に変位し、棚板を後方へスライドさせた場合にロックレバーの爪部が引掛部に引っ掛からないという事態が発生することがある。
【０００８】
本発明はこのような課題を解決するためになされたものであり、その目的は、ロック機構を商品陳列棚の左右幅方向の中央部に設けた商品陳列棚において、棚板上に重量物の商品を陳列することにより棚板が撓んだ場合であっても、ロック機構によるロックを確実に行うことができるようにした商品陳列棚を提供することである。
【課題を解決するための手段】
【０００９】
本発明に係る商品陳列棚は、ショーケース本体に固定され、商品陳列室内に向けて延出した固定ブラケットと、前記固定ブラケットに前後方向スライド可能に取付けられた可動ブラケットと、前記可動ブラケットに取付けられ、上面部に商品が陳列される棚板と、前記固定ブラケットの左右幅方向中央部の前方側に設けられた引掛部と、前記可動ブラケットの左右幅方向中央部の前方側に設けられ、前記可動ブラケットを後方へスライドさせた場合に前記引掛部に係合されるロックレバーと、を有する。
【００１０】
また、前述の商品陳列棚では、前記ロックレバーは前記引掛部に係合する方向に付勢され、前記引掛部への係合を解除する方向に回動操作可能に設けられていることが望ましい。
【発明の効果】
【００１１】
本発明に係る商品陳列棚では、棚板は可動ブラケットに取付けられており、棚板を前後方向にスライドさせる場合には棚板と共に可動ブラケットが一体にスライドする。そして、棚板と可動ブラケットとを後方にスライドさせることにより、可動ブラケットに設けられているロックレバーが固定ブラケットに設けられている引掛部に係合され、棚板と可動ブラケットとのスライド動作が規制される。ここで、ロックレバーは強固で撓みにくい部材である可動ブラケットに取付けられているため、棚板に重量物の商品が陳列されて棚板が撓んだ場合でも、可動ブラケットが撓むことはなく、ロックレバーが引掛部に対して下方へ変位するということは起こらず、ロックレバーと引掛部との係合を確実に行わせることができる。
【００１２】
また、前述の商品陳列棚では、ロックレバーは  引掛部に係合する方向に付勢されているため、可動ブラケットと棚板とを後方へスライドさせた場合、ロックレバーは自動的に引掛部に係合する。また、ロックレバーは引掛部の係合を解除する方向に回動操作可能であるため、可動ブラケットと棚板とを前方へスライドさせる場合に、ロックレバーを引掛部への係合が外れる方向に回動操作することにより、ロックレバーの引掛部への係合を容易に解除することができ、可動ブラケットと棚板とを前方へスライドさせる操作を容易に行うことができる。
【図面の簡単な説明】
【００１３】
【図１】可動ブラケットから棚板を外した商品陳列棚を示す斜視図である。
【図２】可動ブラケットがロックされてスライド動作が規制されている状態を示す商品陳列棚の断面側面図である。
【図３】可動ブラケットのロックが解除されている状態を示す商品陳列棚の断面側面図である。
【発明を実施するための形態】
【００１４】
本発明の一実施形態について、図面に基づいて説明する。図１は、ショーケースの商品陳列室内に配置される商品陳列棚１を示す斜視図であり、この商品陳列棚１は、固定ブラケット２と可動ブラケット３と棚板４とから構成されている。
【００１５】
固定ブラケット２は強固で撓み難い部材であり、それぞれの一端がショーケース本体の支柱に固定されて他端が商品陳列室内に向けて延出する一対の基部２ａと、一対の基部２ａを連結する連結部２ｂとから構成されている。基部２ａの内周面には、前後方向に延出する固定側スライドレール５が固定されている。
【００１６】
可動ブラケット３は、固定ブラケット２に前後方向スライド可能に取付けられた強固で撓み難い部材であり、一対の基部３ａと一対の基部３ａを連結する連結部３ｂとにより構成されている。基部３ａの外周面には、前後方向に延出して固定側スライドレール５とスライド可能に係合する可動側スライドレール６が固定されている。
【００１７】
棚板４は、その上面側に商品が陳列される部材であり、可動ブラケット３に取付けられ、可動ブラケット３と一体となって前後方向にスライド可能に設けられている。棚板４の下面側には可動ブラケット３のスライド方向と直交する方向に２つの梁７が設けられ、可動ブラケット３の基部３ａには、梁７が係合する凹部８が形成されている。棚板４は、梁７を凹部８に係合させることにより可動ブラケット３への取付けが行われている。
【００１８】
固定ブラケット２の連結部２ｂの下面側には、固定ブラケット２の前方側であって左右幅方向の中央部に位置して引掛部９が取付けられている。この引掛部９は、先端側が傾斜面状となるように折り曲げた金属板９ａに開口９ｂを形成することにより構成されている。
【００１９】
可動ブラケット３の連結部３ｂの下面側には、可動ブラケット３の前方側であって左右幅方向の中央部に位置してロックレバー１０が取付けられている。このロックレバー１０は、水平方向の軸芯を有する支軸１０ａの回りに回動可能に支持され、ロックレバー１０の一端側には爪１０ｂが形成され、ロックレバー１０の他端側には押圧部１０ｃが形成されている。そして、このロックレバー１０は、爪１０ｂが引掛部９の開口９ｂに係合する方向にバネ１０ｄにより付勢されている。また、このロックレバー１０は、押圧部１０ｃを上向きに押圧することにより爪１０ｂが開口９ｂへの係合を解除する方向に回動可能とされている。
【００２０】
このような構成において、図２は、可動ブラケット３がロックされてスライド動作が規制されている状態を示している。可動ブラケット３と棚板４とが前方の所定位置にスライドすることにより、可動ブラケット３に取付けられているロックレバー１０の爪１０ｂが引掛部９の開口９ｂに入り込み、バネ１０ｄの付勢力により爪１０ｂが開口９ｂの縁部に係合されている。これにより、何らかの原因により可動ブラケット３が不意に前方にスライドすることが防止されている。
【００２１】
図３は、可動ブラケット３のロックが解除されている状態を示している。図２に示すロック状態からロックレバー１０の押圧部１０ｃを上向きに押圧してロックレバー１０を二点鎖線で示す位置に回動させることにより、爪１０ｂの開口９ｂへの係合が外れる。爪１０ｂの開口９ｂへの係合が外れた状態を維持しつつ可動ブラケット３と棚板４とを前方（矢印ａ方向）へスライドさせることにより、ロックレバー１０と引掛部９とのロックが解除される。ロックレバー１０と引掛部９とのロックが解除された後、可動ブラケット３と棚板４とを引き続き前方にスライドさせることにより商品陳列室外へ引き出すことができ、商品陳列室外に引き出されている棚板４上に商品を陳列する作業を容易に行うことができる。
【００２２】
ここで、棚板４は強固で撓み難い部材である可動ブラケット３に取付けられているため、棚板４に重量物の商品を陳列して棚板４が撓んだ場合でも、可動ブラケット３が撓むことはない。そして、ロックレバー１０は可動ブラケット３に取付けられているため、重量物の商品が陳列された棚板４が撓んだ場合でも可動ブラケット３は撓むことがない。このため、可動ブラケット３に取付けられているロックレバー１０が固定ブラケット２に取付けられている引掛部９に対して下方へ変位するということが起こらない。そして、棚板４に商品を陳列した後に可動ブラケット３と棚板４とを前方へスライドさせてロックレバー１０を引掛部９に係合させる場合、ロックレバー１０と引掛部９とを確実に係合させることができる。したがって、ロックレバー１０と引掛部９との係合が不十分であるために可動ブラケット３と棚板４とが何らかの原因で不意に前方にスライドするという事態の発生を防止することができる。
【００２３】
ロックレバー１０はバネ１０ｄの付勢力により爪１０ｂが引掛部９の開口９ｂに係合する方向に付勢されているため、可動ブラケット３と棚板４とを前方へスライドさせた場合、ロックレバー１０は自動的に引掛部９に係合する。また、ロックレバー１０は引掛部９の係合を解除する方向に回動操作可能である。このため、可動ブラケット３と棚板４とを前方へスライドさせる場合には、押圧部１０ｃを押圧してロックレバー１０を引掛部９への係合が外れる方向に回動させる。これにより、ロックレバー１０と引掛部９との係合を容易に解除することができ、可動ブラケット３と棚板４とを前方へスライドさせる操作を容易に行うことができる。しかも、ロックレバー１０は可動ブラケット３の左右幅方向の中央部に一つだけ設けられているため、ロックレバー１０の操作を片手で行うことができ、棚板４と可動ブラケット３とを商品陳列室外へ引き出す操作を容易に行うことができる。
【符号の説明】
【００２４】
１      商品陳列棚
２      固定ブラケット
２ａ    基部
２ｂ    連結部
３      可動ブラケット
３ａ    基部
３ｂ    連結部
４      棚板
５      固定側スライドレール
６      可動側スライドレール
７      梁
８      凹部
９      引掛部
９ａ    金属板
９ｂ    開口
１０      ロックレバー
１０ａ    支軸
１０ｂ    爪
１０ｃ    押圧部
１０ｄ    バネ
【図１】
2020192152.tif 000003
【図２】
2020192152.tif 000004
【図３】
2020192152.tif 000005